【手続補正書】
【提出日】平成16年7月7日(2004.7.7)
【手続補正１】
【補正対象書類名】特許請求の範囲
【補正対象項目名】全文
【補正方法】変更
【補正の内容】
【特許請求の範囲】
【請求項１】
基板上に組み込まれた、または静止し、さらにディスプレイユニット(3)を含む移動電話装置またはセットに適合したタッチスクリーンであって、
多数の光パルス放出ユニット(4L)、および多数の光パルス受信ユニット(5P)が、前記ディスプレイユニット(3)に対して縁関連であり、前記光パルス放出ユニット(4L)は、光パルス(40)を、前記ディスプレイユニットの上面(3a)の上方の距離を通して、連続してまたはグループとしてのいずれかで、パルス生成回路の媒体を通して送るよう適合され、前記上面は、行および列内に、文字、番号、および/または対応するグラフィックスなどのグラフ記号を提示可能であり、
前記光パルス受信ユニット(5P)は、前記光パルスを、パルス受信回路を通して、連続してまたはグループとしてのいずれかで受信するよう適合されており、パルス生成回路およびパルス生成回路の各々は、座標付けされた形式で計算ユニット(6)に接続されており、前記計算ユニットは、ディスプレイユニットの上面(3a)上の地理的位置を表す位置を、関連するパルス受信回路(5aP)を含み、座標整列された、1つ以上の光パルス受信ユニット(5P)の位置に応じて、評価するよう機能する計算回路(6a)に割り当てられており、前記パルス受信回路は、光パルスの存在を示すと予想されているが、それが出来ない場合に、光パルスがポインタ(9)により影に覆われた、ディスプレイユニット上面(3a)上の地理的位置を表す位置を可能とし、対応する信号(6d)を生成することを特徴とするタッチスクリーン。
【請求項２】
光パルス放出ユニット(4L)および光パルス受信ユニット(5P)が、光パルス(40a、40b)を、ディスプレイユニット(3) 上の平坦な表面(3a)に垂直、または概して少なくとも垂直な方向に、送致し、および受信するよう、前記ディスプレイユニット(3)に隣接して整列されている、
そして、互いに対向する光パルス偏向装置(7、8)が、ディスプレイユニット(3)に接近して配置されていることを特徴とする、請求項1に記載のタッチスクリーン。
【請求項３】
前記基板(2)が、移動電話装置に適合された回路基板またはプリント回路板から成っていることを特徴とする、請求項1に記載のタッチスクリーン。
【請求項４】
前記基板(2)が、前記ディスプレイユニットを担持することに加えて、前記光パルス放出および光パルス受信ユニットを担持するよう適合されていることを特徴とする、請求項1に記載のタッチスクリーン。
【請求項５】
前記光パルス放出ユニットおよび前記光パルス受信ユニットが、接続ワイヤまたは対応する手段により、パルス生成回路およびパルス受信回路に接続されていることを特徴とする、請求項3に記載のタッチスクリーン。
【請求項６】
光パルス偏向装置(7, 8)が、多数のミラーユニットまたは多数のミラー面(7", 8")から成ることを特徴とする、請求項2に記載のタッチスクリーン。
【請求項７】
前記光パルス偏向装置(7, 8)が、前記光パルス放出ユニットからの、光パルス伝播方向に対して、45度に方向付けられたミラー面を有する4つのミラーユニットから成ることを特徴とする、請求項2または請求項6に記載のタッチスクリーン。
【請求項８】
前記光パルス偏向装置(7, 8)が、少なくとも1つの直角等辺3面直角プリズムで形成されたユニットから成ることを特徴とする、請求項2に記載のタッチスクリーン。
【請求項９】
前記回路基板(2)またはプリント回路板が、また、移動電話装置に関連する機能を実行するよう適合された、電子回路および構成要素を含んでいることを特徴とする、請求項3に記載のタッチスクリーン。
【請求項１０】
前記光パルス放出ユニットおよび前記光パルス受信ユニットが、対向する行および列内で、互いに垂直な整列で方向付けられ、前記ユニット間の距離が、前記ディスプレイユニットに割り当てられるサイズを僅かに超えるだけであることを特徴とする、請求項1に記載のタッチスクリーン。
【請求項１１】
前記ディスプレイユニット、光パルス放出ユニット、光パルス受信ユニット、および前記移動電話装置に必要な固定構成要素を内部へ含む、前記回路基板(2)またはプリント回路板が、電話ケーシングの一部に固定されるよう適合されていることを特徴とする、請求項3に記載のタッチスクリーン。
【請求項１２】
4つの光パルス偏向装置(7, 8)が、取替え可能な蓋またはカバーとの共同作動のための、高くされたリムの縁に沿って配列されており、前記高くされたリムが、プラスチックまたはガラスシートのような、透明な保護要素と共同作動することを特徴とする、請求項2に記載のタッチスクリーン。
【請求項１３】
2つ以上の辺関連光パルス受信ユニット、およびその関連する光パルス受信回路が、光パルスの不存在を同時に示すという条件の場合に、計算ユニットが、内部計算回路の援助で、この情報を、意図された地理的位置は、前記パルス受信回路を表す点などの間に位置していると考えられることを意味すると解釈するよう機能することを特徴とする、請求項1に記載のタッチスクリーン。
【請求項１４】
関連する光パルス受信回路を伴う、2つ以上の傾斜した辺関連光パルス受信ユニットが、光パルスの不存在を同時に示す場合に、計算ユニットが、内部計算回路の援助で、この情報を、意図された二次元の地理的位置は、前記パルス受信回路を表す点などの間に位置していると考えられることを意味すると解釈するよう機能することを特徴とする、請求項13に記載のタッチスクリーン。
【請求項１５】
前記光パルス放出ユニットが、関連するパルス生成回路を通して、予め定められた順序で、選択されたタイムスロットの間に、連続して作動され、または選択的に配置され；そして、対応するパルス検出回路においても、予め定められた順序で、前記選択されたタイムスロットの間、作動可能であることを特徴とする、請求項1に記載のタッチスクリーン。
【請求項１６】
多数の光パルス放出ユニットが、選択された持続時間の間、前記パルス生成回路の援助で、連続して光パルスを送り出し；そして、1つの光パルス受信ユニットが、前記選択された持続時間の間、予想される光パルスを受信するために作動するよう適合され、それとともに、関連するパルス受信回路を通して、生成する光パルス、および/または、光パルスの不存在を登録可能となっていることを特徴とする、請求項1に記載のタッチスクリーン。
【請求項１７】
多数の光パルス受信ユニットが、選択された持続時間の間に、光パルス放出ユニットから放出される光パルスを連続して受信するよう機能し、；そして、前記光パルス受信ユニットの各々が、前記選択された持続時間の間、関連する受信回路を通して、予想される光パルスを受信するために作動するよう適合され、それとともに、生成する光パルス、および/または、光パルスの不存在を登録可能となっていることを特徴とする、請求項1に記載のタッチスクリーン。
【請求項１８】
基板(2)上に組み込まれ、または静止し、さらにディスプレイユニット(3)を含む移動電話装置またはセットに適合したタッチスクリーンであって、
光パルス放出ユニット(4L)および光パルス受信ユニット(5P)が、ディスプレイユニット(3)上の平坦な表面(3a)に対して垂直方向、または少なくとも概して垂直方向に、光パルス(40a、40b)を送信し、および受信するよう、前記ディスプレイユニット(3)に隣接して整列されていること、
互いに対向する光パルス偏向装置(7、8)はディスプレイユニット(3)の近くに配置されること、
および、前述の光検出された装置87、8)が、カバー関連部分(7、8)を通して光を伝えるために適合させられていることを特徴とするタッチスクリーン。
【請求項１９】
前部関連ケーシング部分(11)がリム(7、7"；8、8")を有しており、さらに透明材料で造られていることを特徴とする、請求項18に記載のタッチスクリーン。
【請求項２０】
前記前部関連ケーシング部分が、1つが前記リムを囲む2つの座標付けされた部品から成ることを特徴とする、請求項1または請求項19に記載のタッチスクリーン。
【請求項２１】
内部ケーシング部分(7、8)が、ディスプレイ面全体を露出する開口部を伴って形成されていることを特徴とする、請求項18または請求項20に記載のタッチスクリーン。
【請求項２２】
前記光パルス偏向装置(7、8)が、外部ケーシング部分(11)内に配置されたフレームとして形成されていることを特徴とする、請求項18または請求項20に記載のタッチスクリーン。
【請求項２３】
前記光パルス偏向装置(7、8)が、前記外部ケーシング部分に固定され、前記開口部の縁関連であることを特徴とする、請求項18または請求項20に記載のタッチスクリーン。
【請求項２４】
材料がIR放射に対して透明であることを特徴とする、請求項18または請求項20に記載のタッチスクリーン。
【請求項２５】
4つの光パルス偏向装置(7、8)が、取替え可能な蓋またはカバーと共同動作するよう、高くされたリムの縁に沿って配列されており、前記高くされたリムが、プラスチックまたはガラスシートなどの透明保護要素と共同動作するという特長を有する、請求項18または請求項20に記載のタッチスクリーン。